(57)【特許請求の範囲】
【請求項１】
両側面が第１及び第２のカバーで覆われて架台上に傾斜調整可能に配置されたカメラ本体と、該カメラ本体の幅方向に延びるフォーカス調整用の回動軸の先端部に装着されたフォーカスノブと、前記カメラ本体の傾斜角度を調整し得るように該カメラ本体の前記第１のカバー側に配置されたチルト機構と、を備えた眼底カメラにおいて、
前記第１のカバーは、前記回動軸の軸心方向に沿って移動して前記カメラ本体から離脱し得るように構成された第１のプレート部と、前記回動軸と略々直交する方向に移動して前記カメラ本体から離脱し、かつ該離脱により前記第１のプレート部に所定形状の接合部を開口させ得るように構成された第２のプレート部とからなる、
ことを特徴とする眼底カメラ。
【請求項２】
前記接合部は、前記カメラ本体を回動軸の軸心方向に見た際に前記チルト機構と重ならない位置に形成されてなる、
請求項１記載の眼底カメラ。
【請求項３】
前記第１のプレート部は、前記カメラ本体を覆う際には前記フォーカスノブの先端部を外方に突出させ、かつ前記カメラ本体から離脱する際には前記フォーカスノブに接触しないように形成されたノブ突出孔を備えてなる、
請求項１又は２記載の眼底カメラ。
【請求項４】
前記第１及び第２のカバーは樹脂材料にて形成されてなる、
請求項１ないし３のいずれか記載の眼底カメラ。
【発明の詳細な説明】
【０００１】
【発明の属する技術分野】
本発明は、メンテナンス時等に、カメラ本体を覆うカバーの脱着を容易に行い得るようにした眼底カメラに関する。
【０００２】
【従来の技術】
従来、被検眼の眼底に光を照射し、その反射光を受光して得られた眼底像を撮影又は観察し得るようにした眼底カメラが知られている。該眼底カメラは、架台上にチルト機構を介して傾斜調整可能に配設されたカメラ本体を有しており、該カメラ本体には、その対物レンズの焦点位置を調節するためのフォーカスノブが配設されている。カメラ本体はカバーで覆われており、該カバーは、メンテナンス時等に内部機構を容易に露出出来るようにするため、カメラ本体の幅方向に分割可能に構成されている。
【０００３】
このような眼底カメラを使用する場合、検査者は、カメラ本体の対物レンズを被検眼に対向させた状態で、チルト機構を操作して対物レンズの光軸角度を調整すると共に、フォーカスノブにより対物レンズの焦点位置を調整して、光照射にて被検眼から得た眼底像を撮影又は観察する。
【０００４】
【発明が解決しようとする課題】
しかし、上記従来の眼底カメラでは、メンテナンス時等にカメラ本体からカバーを取り外す場合、チルト機構が位置しない側では特に問題はないが、その反対側では、チルト機構が邪魔になって脱着作業を速やかに行うことが出来ないという問題があった。該眼底カメラでは、このような問題を解決するために、チルト機構とカメラ本体との間の距離を大きくして、カバーの取り外しを容易に行い得るように構成しており、その結果、カメラのコンパクト化を損なう等の新たな問題が生じていた。
【０００５】
また、上記従来の眼底カメラでは、カメラ本体の内部機構に連結された回動軸がカバーから外方に突出し、かつ該カバーの外方側において回動軸の先端にフォーカスノブが装着されていた。このため、メンテナンス時等のカバー脱着作業では、まず、フォーカスノブを回動軸先端から取り外した後、カバーを取り外し、更に修理点検等の作業終了後に、フォーカスノブを回動軸先端に再び装着しなければならず、作業が煩雑であった。
【０００６】
本発明は、上記した事情に鑑み、チルト機構とカメラ本体とを近接させて、カメラのコンパクト化を実現出来るものでありながら、メンテナンス時等におけるカバー脱着作業を容易に行い得る、眼底カメラを提供することを目的とするものである。
【０００７】
更に、本発明は、上記目的を達成した上で、メンテナンス時等に、フォーカスノブを、回動軸先端からその都度取り外したり取り付けたりするような煩雑な作業を無くして、カバー脱着作業をより容易に行い得る、眼底カメラを提供することを目的とするものである。
【０００８】
【課題を解決するための手段】
請求項１の発明は、両側面が第１及び第２のカバー（１９、２０）で覆われて架台（２）上に傾斜調整可能に配置されたカメラ本体（５）と、該カメラ本体（５）の幅方向（図２及び図５矢印Ａ、Ｂ方向）に延びるフォーカス調整用の回動軸（２６）の先端部に装着されたフォーカスノブ（１２ａ、１２ｂ）と、前記カメラ本体（５）の傾斜角度を調整し得るように該カメラ本体（５）の前記第１のカバー（１９）側に配置されたチルト機構（９）と、を備えた眼底カメラ（１）において、
前記第１のカバー（１９）は、前記回動軸（２６）の軸心方向（図２及び図５矢印Ａ方向）に沿って移動して前記カメラ本体（５）から離脱し得るように構成された第１のプレート部（１９ａ）と、前記回動軸（２６）と略々直交する方向（図４及び図５矢印Ｃ方向）に移動して前記カメラ本体（５）から離脱し、かつ該離脱により前記第１のプレート部（１９ａ）に所定形状の接合部（１９ｃ）を開口させ得るように構成された第２のプレート部（１９ｂ）とからなる、
ことを特徴とする眼底カメラ（１）にある。
【０００９】
請求項２の発明は、前記接合部（１９ｃ）は、前記カメラ本体（５）を回動軸（２６）の軸心方向に見た際に前記チルト機構（９）と重ならない位置に形成されてなる、
請求項１記載の眼底カメラ（１）にある。
【００１０】
請求項３の発明は、前記第１のプレート部（１９ａ）は、前記カメラ本体（５）を覆う際には前記フォーカスノブ（１２ａ）の先端部を外方に突出させ、かつ前記カメラ本体（５）から離脱する際には前記フォーカスノブ（１２ａ）に接触しないように形成されたノブ突出孔（２７）を備えてなる、
請求項１又は２記載の眼底カメラ（１）にある。
【００１１】
請求項４の発明は、前記第１及び第２のカバー（１９、２０）は樹脂材料にて形成されてなる、
請求項１ないし３のいずれか記載の眼底カメラ（１）にある。
【００１２】
なお、上記カッコ内の符号は、図面と対照するためのものであるが、これは、実施の形態との対応を容易にして理解の迅速化を図る便宜的なものであり、これにより請求項の構成に何等影響を及ぼすものではない。
【００１３】
【発明の効果】
請求項１の発明によれば、チルト機構側に配置された第１のカバーが、互いに分割可能な第１及び第２のプレート部からなるので、メンテナンス時等において、第１及び第２のプレート部をそれぞれ異なる方向に移動させて個別に取り外すことにより、チルト機構を邪魔にすることなく、第１のカバーをカメラ本体から容易に取り外すことが出来る。また、チルト機構が位置しない側の第２のカバーは、前記第１のカバーと反対の方向に回動軸に沿って移動させるだけで、容易に取り外すことが出来る。このように、本発明に係る眼底カメラでは、チルト機構をカバー脱着時の妨げとすることがないので、チルト機構とカメラ本体とを近接させて、カメラのコンパクト化を実現することが出来る。
【００１４】
請求項２の発明によれば、カメラ本体を回動軸の軸心方向に見た際にチルト機構と重ならない位置に接合部が形成されるので、第１のプレート部を回動軸の軸心方向に沿って単に移動させるだけで、カバー取り外し作業を極めて容易に行うことが出来る。
【００１５】
請求項３の発明によれば、第１のプレート部が、カメラ本体を覆う際にはフォーカスノブの先端部を外方に突出させ、かつカメラ本体から離脱する際にはフォーカスノブに接触しないように形成されたノブ突出孔を備えるので、フォーカスノブをいちいち回動軸先端から取り外し、その後取り付け直すような煩雑な作業を行うことなく、カバー脱着作業をより簡便に行うことが出来る。
【００１６】
請求項４の発明によれば、第１及び第２のカバーが非導電性の樹脂材料からなるので、医療用機器としての安全性を確保することが出来る。
【００１７】
【発明の実施の形態】
図１は、本発明が適用される、眼底カメラの一例を示す側面図、図２は、眼底カメラを被検眼側から見た状態で示す正面図、図３は図２における眼底カメラを上方から見た状態で示す平面図、図４は、図１に示した眼底カメラのカメラ本体を単体で示す側面図、図５は、図４のV-Vに沿って切断した状態を示す断面図である。
【００１８】
本実施形態の眼底カメラ１は、図１ないし図３に示すように、電源を内蔵した架台２と、架台２上に支持アーム３ａ、３ｂを介して、水平方向（図２中矢印Ａ、Ｂ方向）に所定範囲に渡り移動自在となるように支持されたカメラ本体５と、カメラ本体５の被検査側において図中上下方向に延びる支持バー６にて支持された顎台７とを有している。該顎台７は、被検者の顔面をカメラ本体５に対して所定の状態となるように支持し得る形で架台２に設けられ、また、支持バー６の最上部には外部固視灯８が設けられている。
【００１９】
カメラ本体５は、チルト機構９を介して、支持アーム３ｂに支持されている。該チルト機構９は、カメラ本体５の傾斜角度を調整し得るように、被検査側から見た際の該カメラ本体５の左側に配置されており、一端が支持アーム３ｂに固定されたガイドアーム１４と、カメラ本体５の底部に固定された支持部材１８とを有している。ガイドアーム１４は、一端から他端に向かって略々円弧状に延びるように形成され、かつ検査側に向いた側面に歯面１４ａを有している。また、支持部材１８は、ガイドアーム１４を摺動自在に挿通する略々円弧状の摺動溝１８ａと、該摺動溝１８ａ内に突出してガイドアーム１４の歯面１４ａに噛合するギヤ部（図示せず）を備え、かつカメラ本体５の左方（図１の紙面手前方向）に突出するように設けられたチルト調整ノブ１１とを有している。
【００２０】
上記構成のチルト機構９を介して、カメラ本体５が支持アーム３ｂ及び３ａ、従って架台２に支持されるので、チルト調整ノブ１１を図１の時計方向又は反時計方向に回動させた際、該チルト調整ノブ１１のギヤ部がガイドアーム１４の歯面１４ａに噛合しつつ回動し、支持部材１８がガイドアーム１４の円弧形状に沿って移動し、これによりカメラ本体５が、ガイドアーム１４の円弧形状の略々曲率中心（略々被検眼Ｅの位置）を中心として回動するように傾斜する。つまり、チルト調整ノブ１１を適宜回動させることにより、カメラ本体５の被検査側に設けられた対物レンズ１０の光軸角度を自在に調整することが出来る。
【００２１】
また、カメラ本体５は、その幅方向（図２矢印Ａ、Ｂ方向）に延びるフォーカス調整用の回動軸２６（図５参照）の両先端部にそれぞれ装着されたフォーカスノブ１２ａ、１２ｂと、検査側の壁面にその上方から順に配設された、接眼レンズ１３、カメラバック１５及び液晶モニタ１６とを有している。フォーカスノブ１２ａは、カメラ本体５の一側面における略々中央部に位置しており、図示はしないが、フォーカスノブ１２ｂも、カメラ本体５の他側面における略々中央部に位置している。また、架台２上には操作パネル２２が設けられており、該操作パネル２２にはテンキー、ディスプレイ、ＩＤスイッチ及びステレオ撮影位置指定ボタンなどが設けられている。なお、符号２９及び３０はそれぞれ、電源コード及びこの電源コードを支持するコードフックである。
【００２２】
図５に示すように、カメラ本体５は、その両側面が第１及び第２のカバー１９、２０で覆われており、互いに結合する該カバー１９、２０の内方に、フレーム２３、及び該フレーム２３に支持された内部機構２５等を有している。これらカバー１９、２０は、医療用機器としての安全性を確保するために、非導電性の樹脂材料から構成されている。また、フレーム２３には、その所定位置から上記フォーカス調整用の回動軸２６が、カメラ本体５の幅方向（矢印Ａ、Ｂ方向）に延びるように支持されている。更に、フレーム２３には、第１及び第２のカバー１９、２０をボルト３２（図４参照）でそれぞれ固定するための固定部（図示せず）が設けられている。
【００２３】
また、図４及び図５に示すように、チルト機構９側に配置された第１のカバー１９は、第１及び第２のプレート部１９ａ、１９ｂから構成されている。第１のプレート部１９ａは、回動軸２６の軸心方向（図５矢印Ａ方向）に沿って移動してカメラ本体５から離脱し得るように構成されており、第２のプレート部１９ｂは、回動軸２６と略々直交する方向（図４及び図５矢印Ｃ方向）に移動してカメラ本体５から離脱し、かつ該離脱により第１のプレート部１９ａに所定形状の接合部１９ｃを開口させ得るように構成されている。
【００２４】
接合部１９ｃは、図１に示すように、カメラ本体５をフォーカスノブ１２ａの回動軸２６の軸心方向（図２矢印Ａ、Ｂ方向）に見た際に、チルト機構９と重ならない位置に形成されている。即ち、回動軸２６の軸心方向に見た状態でカバー１９のチルト機構９と重なる部分を第２のプレート部１９ｂとして切り取ったと想定すると、接合部１９ｃは、第２のプレート部１９ｂの切り取り後の縁部形状に合致する形状を有している。
【００２５】
また、第１のプレート部１９ａは、図１、図４及び図５に示すように、カメラ本体５を覆う際にはフォーカスノブ１２ａの先端部を外方に突出させ、かつカメラ本体１７から離脱する際にはフォーカスノブ１２ａに接触しないように、フォーカスノブ１２ａの外径Ｄ1より若干大きい内径Ｄ2をもつように貫通穿設されたノブ突出孔２７を有している。ノブ突出孔２７は、第２のカバー２０側にも、第１のカバー１９側における外径Ｄ1、内径Ｄ2のサイズ関係と同じになるように形成されている。
【００２６】
上記構成の眼底カメラ１を用いて眼底写真を取得する場合には、まず、被検者の顎を顎台７に乗せて、検眼すべき目（被検眼）とカメラ本体５とを対向させる。そして、被検者の右目の眼底画像を取得する際には、カメラ本体５を、その左右方向の中心位置ＣＴ（図２参照）に対して矢印Ｂ方向に移動させ、また被検者の左目の眼底画像を取得する際には、カメラ本体５を、上記中心位置ＣＴに対して矢印Ａ方向に移動させる。更に、検査者は、チルト機構９のチルト調整ノブ１１を適宜回動させ、対物レンズ１０をその光軸角度を調整することにより被検眼に対する適正な位置にセットした後、フォーカスノブ１２ａ及び／又は１２ｂを回動操作して、対物レンズ１０の焦点位置を調節する。そして、被検眼の眼底に光を照射し、その反射光を受光して得られた眼底像を撮影又は観察する。
【００２７】
次に、メンテナンス等により、カメラ本体５から第１及び第２のカバー１９、２０を取り外す際の作業について説明する。まず、第１のカバー１９側において、第２のプレート部１９ｂを固定しているボルト３２を弛めて取り外した後、該プレート部１９ｂを、回動軸２６と略々直交する矢印Ｃ方向に移動させて、カメラ本体５から取り外す。続いて、第１のプレート部１９ａを固定しているボルト３２を弛めて取り外した後、該プレート部１９ａを、その接合部１９ｃにチルト機構９を通過させつつ回動軸２６の軸心方向（図２及び図５矢印Ａ方向）に沿って移動させる。これにより、第１のカバー１９をカメラ本体５から容易に取り外すことが出来る。また、これとは逆に、第１のプレート部１９ａを取り外してから第２のプレート部１９ｂを取り外すようにしても、第１のカバー１９をカメラ本体５から容易に取り外すことが出来る。チルト機構９が位置しない側の第２のカバー２０は、第１のカバー１９とは反対の回動軸２６の軸心方向（図２及び図５矢印Ｂ方向）に沿って移動させることにより、容易に取り外すことが出来る。
【００２８】
或いは、上述のように第１のカバー１９全体をカメラ本体５から取り外さなくても、例えば第１のプレート部１９ａのみ、または第２のプレート部１９ｂのみを取り外した状態で、メンテナンスを行うことも出来る。更には、第１のカバー１９はそのまま装着しておき、第２のカバー２０のみを取り外した状態でメンテナンスを行うことも出来る。
【００２９】
一方、上記と逆の順序で作業を行うことにより、第１及び第２のカバー１９、２０をカメラ本体５に再び装着することが出来る。
【００３０】
このように、本実施の形態における眼底カメラ１では、チルト機構９が、第１のカバー１９の脱着時の妨げとならないので、チルト機構９とカメラ本体５とを近接させてコンパクト化を実現しながらも、メンテナンス時等における第１のカバー１９の脱着作業を容易に行うことが出来る。また、カメラ本体５を回動軸２６の軸心方向に見た際にチルト機構９と重ならない位置に接合部１９ｃが形成されているので、第１のプレート部１９ａを回動軸２６の軸心方向に移動させる際の作業が一層容易になる。
【００３１】
更に、第１のプレート部１９ａが、カメラ本体５を覆う際にはフォーカスノブ１２ａの先端部を外方に突出させ、かつカメラ本体5から離脱する際にはフォーカスノブ１２ａに接触しないように形成されたノブ突出孔２７を有するので、従来のようにフォーカスノブ１２ａをいちいち回動軸２６の先端から取り外し、その後取り付け直すような煩雑な作業を行うことなく、カバー脱着作業をより簡便に行うことが出来る。
【００３２】
なお、本実施の形態では、第２のプレート部１９ｂを、カメラ本体５のフレーム２３に対して単にボルト３２で固定するように構成していたが、固定構造はこれに限定されるものではない。例えば、フレーム２３に先に固定される第１のプレート部１９ａに、第２のプレート部１９ｂを、接合部１９ｃに対する所定位置に案内するガイドレールを設けることが出来る。この場合、カメラ本体５へのカバー装着作業が一層容易になる。
【図面の簡単な説明】
【図１】図１は、本発明が適用される、眼底カメラの一例を示す側面図である。
【図２】図２は、眼底カメラを被検眼側から見た状態で示す正面図である。
【図３】図３は、図２における眼底カメラを上方から見た状態で示す平面図である。
【図４】図４は、図１に示した眼底カメラのカメラ本体を単体で示す側面図である。
【図５】図５は、図４のV-Vに沿って切断した状態を示す断面図である。
【符号の説明】
１……眼底カメラ
２……架台
５……カメラ本体
９……チルト機構
１０……対物レンズ
１１……チルト調整ノブ
１２ａ、１２ｂ……フォーカスノブ
１９……第１のカバー
１９ａ……第１のプレート部
１９ｂ……第２のプレート部
１９ｃ……接合部
２０……第２のカバー
２６……回動軸
２７……ノブ突出孔
【図１】
0003873768.tif 000002
【図２】
0003873768.tif 000003
【図３】
0003873768.tif 000004
【図４】
0003873768.tif 000005
【図５】
0003873768.tif 000006